(57)【要約】【課題】島設備内の使用されていない電源線から遊技機側の回路に過電流が流入するときに、その過電流による不具合の発生を防止する。【解決手段】この遊技機は、遊技店内に設けられた島設備に設置され、島設備から供給される電力によって作動する。遊技機の裏面側には、島設備に設けられた交流電源と接続される電源入力ラインＬ１，Ｌ２と、電源入力ラインＬ１，Ｌ２と接続され、電源入力ラインＬ１，Ｌ２を介して交流電源に接続される電源回路１２とを有する。そして、電源入力ラインＬ１，Ｌ２の両方のラインにはそれぞれ過電流防止手段１０ａ，１０ｂが設けられている。【選択図】　図１
2004097497.tif 000002
【特許請求の範囲】
【請求項１】
遊技店内に設けられた島設備に設置され、島設備から供給される電力によって作動する遊技機であって、
遊技機の裏面側に配設され、島設備に設けられた交流電源と接続される電源入力ラインと、
電源入力ラインと接続され、電源入力ラインを介して前記交流電源に接続される電源回路とを有し、
前記電源入力ラインの両方のラインにそれぞれ過電流防止手段を備えたことを特徴とする遊技機。
【請求項２】
遊技機の裏面側の電源グランド側に接続される導電性を有する部位にはカバーが設けられていることを特徴とする請求項１に記載の遊技機。
【発明の詳細な説明】
【０００１】
【発明の属する技術分野】本発明は、島設備が設けられる遊技店に設置され、島設備から供給される電力によって作動する遊技機に関する。
【０００２】
【従来の技術】パチンコ機やスロットマシン等の遊技機が設置される遊技店には、通常、島設備が設けられる。島設備には複数の遊技機が列状に２列配設され、一方の列の遊技機と他方の列の遊技機とはその裏面側が互いに対向するようになっている。各列間には遊技機と外部商用交流電源を接続するための電源線が設けられる。電源線は、遊技機の裏面側に配設された電源入力ラインと接続される。電源入力ラインは遊技機の電源回路に接続されている。電源回路は、電源線及び電源入力ラインを介して入力する交流電源を所定の電位の電力に変換する。変換された電力は、遊技機に設けられた各種電装装置（制御基板，表示装置，モータ，ランプ等）に供給される。
【０００３】
この種の遊技機においては、島設備側から遊技機側に過大な電流が流れると、遊技機に設置された各種電装装置に不具合が発生するおそれがある。このために、従来から上記電源入力ラインの一方にヒューズ等の過電流防止手段が設けられている。したがって、島設備から遊技機側に過大な電流が流れると、過電流防止手段が自動的に過大電流を遮断して遊技機に不具合が発生することを未然に防止している。
【０００４】
【特許文献１】
特開平６−１４２２８４号公報（第１図）
【０００５】
【発明が解決しようとする課題】ところで、遊技店の島設備には遊技機に接続される電源線だけで無く、その他多数の電源線が設けられる。例えば、パチンコ機が設置される島設備においては、遊技カードを読取るカードリーダ、呼出しランプ、ホールコンピュータに接続される通信機器等の各種機器に電力を供給するための電源線が設けられる。遊技機の種類や機種、島設備に設置される機器等の違いから必要となる電源線の数が異なるため（例えば、メーカ毎に必要な電源線の数が異なる）、通常、島設備には多めに電源線が設けられる。このため、島設備内には使われていない電源線が存在することとなる。
電源線のうち既に使用されていて現在使用されていないものは、その先端の被覆が剥がされているため、このような電源線の先端が遊技機裏面に接触すると、その接触部位から遊技機の回路側に電流が流れることがある。例えば、電源線の先端が接触する部位が電源グランド側に接続されていると、その電源線とヒューズ等が設けられていない電源入力ラインとによって回路が構成され、この回路に電流が流れることとなる。かかる場合に従来の遊技機では、過大な電流が流れても遮断されず、遊技機に不具合が発生する可能性があった。
本発明は上述した実情に鑑みなされたものであり、その目的は、島設備内の使用されていない電源線から遊技機側の回路に過電流が流入するときに、その過電流による不具合の発生を防止することができる遊技機を実現する。
【０００６】
【課題を解決するための課題、手段及び効果】上記課題を解決するため請求項１に記載の遊技機は、遊技店内に設けられた島設備に設置され、島設備から供給される電力によって作動する遊技機であって、遊技機の裏面側に配設され、島設備に設けられた交流電源と接続される電源入力ラインと、電源入力ラインと接続され、電源入力ラインを介して交流電源に接続される電源回路とを有する。そして、前記電源入力ラインの両方のラインにそれぞれ過電流防止手段を備えた。
上記遊技機では、電源入力ラインの両方のラインに過電流防止手段が設けられる。このため、島設備の使用されていない電源線から遊技機のグランド側に過電流が流れる場合でも、電源入力ラインに設けられた過電流防止手段が作用して過電流が遮断される。したがって、過電流による遊技機の不具合の発生を防止することができる。
【０００７】
上記遊技機においては、遊技機の裏面側の電源グランド側に接続される導電性を有する部位にはカバーが設けられていることが好ましい。
このような構成では、電源グランド側に接続される部位がカバーによって覆われることで、使用されていない島設備の電源線の先端がこの部位に接触することを防止することができる。
また、遊技機の裏面側に遊技機の動作を制御する制御基板が配設される場合には、その制御基板にもカバーが設けられることが好ましい。電源線の制御基板への接触を防止し、遊技機の誤動作を防止することができるためである。
【０００８】
【発明の実施の形態】本発明を遊技機の一種であるパチンコ機に具現化した一実施形態について図面を参照して説明する。図１は本実施形態に係る遊技機の回路構成を簡略化して示す図である。
図１に示すように、本実施形態の遊技機の裏面には２本の電源入力ラインＬ１，Ｌ２が設けられる。電源入力ラインＬ１，Ｌ２は、島設備に設けられた電源線（図示省略）が接続される。島設備の電源線には、遊技店の外部商用交流電源が接続されている。
電源入力ラインＬ１は、スイッチＳ及びヒューズ１０ａを介して整流回路１２に接続されている。電源入力ラインＬ２も、スイッチＳ及びヒューズ１０ｂを介して整流回路１２に接続されている。スイッチＳは、電源入力ラインＬ１及びＬ２をＯＮ−ＯＦＦするスイッチである。ヒューズ１０ａは電源入力ラインＬ１に過電流が流れるときに溶断して過電流を遮断する。ヒューズ１０ｂは電源入力ラインＬ２に過電流が流れるときに溶断して過電流を遮断する。整流回路１２は、４個のブリッジダイオードで構成され、電源入力ラインＬ１，Ｌ２を介して入力する交流電源を整流する。整流回路１２の電源側のライン１４は電動装置１８に接続され、整流回路１２のグランド側のライン１６は接地されている。
電動装置１８は、パチンコ機の裏面に配設され、整流回路１２から供給される電力により作動する。電動装置１８としては、例えば、パチンコ機の裏面に設けられる各種駆動装置（例えば、賞球払出装置の払出モータ等）が相当する（図１では１つの電動装置１８のみを図示しているが、複数の電動装置を整流回路１２に接続しても良い）。電動装置１８のグランド側に接続される導電部２０は接地されている。この導電部２０は、カバー２２で覆われている。
【０００９】
かかる構成においてスイッチＳがＯＮされると、整流回路１２に電源入力ラインＬ１，Ｌ２を介して外部交流電源から交流電力が入力する。整流回路１２は、入力する交流電力を整流して電動装置１８に供給する。これによって、電動装置１８が作動し、パチンコ機での遊技が可能となる。
また、島設備の使用されていない電源線の先端がパチンコ機の裏面（例えば、電動装置１８の導電部２０）に接触すると、その使用されていない電源線からグランド、ライン１６及び電源入力ラインＬ２等により回路が構成される。仮に、この回路に過電流が流れると、電源入力ラインＬ２上のヒューズ１０ｂが溶断し、過電流が遮断される。したがって、意図しない電流が流入することで、パチンコ機に不具合が発生することが防止される。
さらに、電動装置１８のグランド側に接続される導電部２０はカバー２２で覆われているため、使用されていない電源線の先端が導電部２０に接触し難くなっている。したがって、島設備の使用されていない電源線からの意図せぬ電流の流入が起り難くなっている。なお、電動装置１８のグランド側に接続されている導電部２０のみをカバー２２で覆っているため、電動装置１８からの放熱性の低下を抑制している。
【００１０】
以上、本発明の実施形態について詳細に説明したが、これは例示にすぎず、特許請求の範囲を限定するものではない。特許請求の範囲に記載の技術には、以上に例示した具体例を様々に変形、変更したものが含まれる。例えば、下記に記載の形態で好適に実施することができる。
上述した実施形態では、過電流防止手段としてヒューズを用いたが、過電流防止手段としてはヒューズ以外にもブレーカー（遮断器）を用いることができる。また、上述した実施形態では、遊技機裏面のグランド側に接続されている導電部をカバーで覆ったが、さらに、遊技機の裏面側に配設された制御基板等をカバーで覆ってもよい。使用されていない電源線の制御基板への接触を防止し、遊技機の誤動作を防止することができるためである。なお、パチンコ機等の鋼球を用いる遊技機の場合、パチンコ球等に帯電した静電気を除電するため、裏セット部材を導電性の樹脂で製作し、その裏セット部材をグランドに接続する場合がある。かかる場合には、裏セット部材の表面が非導電体でカバー（例えば、非導電体の樹脂で被膜）されていることが好ましい。かかる構成によると、使用されていない電源線から裏セット部材を介してグランド側に電流が流れることを防止することができる。
また、上述した実施形態は本発明をパチンコ機に適用した例であったが、本発明はこの他にも、例えば、スロットマシン、アレンジホール機（一定数の鋼球を遊技盤上に射出して所定の当たり状態を成立させるもの）、雀球遊技機等の各種遊技機にも適用することができる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数の目的を同時に達成するものであり、そのうちの一つの目的を達成すること自体で技術的有用性を持つものである。
【図面の簡単な説明】
【図１】本実施形態に係るパチンコ機の回路図
【符号の説明】
１０ａ，１０ｂ・・ヒューズ
１２・・整流回路
１８・・電装装置
２２・・カバー
Ｌ１，Ｌ２・・電源入力ライン
Ｓ　・・スイッチ
【図１】
2004097497.tif 000003